(57)【要約】【課題】モーフィング素材画像の登録と、人物の感情に適合したモーフィング素材画像と人物の画像とのモーフィング画像の作成を容易にできる電子機器及びモーフィングプログラムを提供する。【解決手段】電子機器において、「撮影開始ボタン」が押下されると、（１）で声と表情で気持ちを表現した人物の声を入力すると共に人物を撮影する。ついで、モーフィング要求操作が行われると、（２）で音声と人物画像から人物の感情を分析する。次いで、分析された感情の感情コードと感情ポイントに最も適合したモーフィング素材画像を感情別のモーフィング素材画像グループから取り出す。（４）で人物画像の顔部分からモーフィングに必要な顔と各器官のモーフィングラインを抽出する。（５）でモーフィング画像の顔部分を人物画像の顔部分でモーフィングを行ったモーフィング画像を作成する。（６）でタイトルが合成されたモーフィング画像を用紙に印刷する。【選択図】図２
2016192193.tif 000002
【特許請求の範囲】
【請求項１】
複数のモーフィング素材画像を登録するモーフィング素材画像登録部と、
人物画像の顔部分から感情を分析する感情分析部と、
前記感情分析部が分析した感情に適合した前記モーフィング素材画像を選択し、選択した前記モーフィング素材画像の顔部分を前記人物画像の顔部分でモーフィングを行ったモーフィング画像を作成するモーフィング画像作成部と
を備えることを特徴とする電子機器。
【請求項２】
カメラ部を備え、
前記人物画像は、前記カメラ部で撮影した人物の画像であることを特徴とする請求項１に記載の電子機器。
【請求項３】
前記カメラ部で人物を撮影するときに人物の声を入力する音声入力部を備え、
前記感情分析部は、前記人物画像の顔部分と前記声から感情を分析することを特徴とする請求項２に記載の電子機器。
【請求項４】
ネットワーク通信部を備え、
前記人物画像は、前記ネットワーク通信部により受信することを特徴とする請求項１に記載の電子機器。
【請求項５】
前記ネットワーク通信部は、前記人物画像を受信するときに前記人物の声を受信し、
前記感情分析部は、人物画像の顔部分と前記声から感情を分析することを特徴とする請求項４に記載の電子機器。
【請求項６】
スキャナー部と画像形成部を備え、
前記人物画像は、前記スキャナー部で読み取った人物像を前記画像形成部が形成した画像であることを特徴とする請求項１に記載の電子機器。
【請求項７】
前記モーフィング画像作成部は、前記モーフィング素材画像の名前と前記人物画像の名前とを組み合わせて作成したタイトルを前記モーフィング画像に合成することを特徴とする請求項１から請求項６のいずれか１項に記載の電子機器。
【請求項８】
印刷部を備え、
前記印刷部は、前記モーフィング画像を用紙に印刷することを特徴とする請求項１から請求項７のいずれか１項に記載の電子機器。
【請求項９】
複数のモーフィング素材画像を登録するモーフィング素材画像登録部、
人物画像の顔部分から感情を分析する感情分析部、及び
前記感情分析部が分析した感情に適合した前記モーフィング素材画像を選択し、選択した前記モーフィング素材画像の顔部分を前記人物画像の顔部分でモーフィングを行ったモーフィング画像を作成するモーフィング画像作成部として電子機器のコンピューターを機能させることを特徴とするモーフィングプログラム。
【発明の詳細な説明】
【技術分野】
【０００１】
本発明は、ある画像から別の画像に徐々に変化していく過程における中間の画像（以下、「モーフィング画像」という）を作成するモーフィング機能を有する電子機器に関する。
【背景技術】
【０００２】
最近の技術によれば、異なる２つの物体のモーフィング画像を作成することで、異なる２つの物体から新しい物体を実際に製作する前に、モーフィング画像で新しい物体を確認することができる。また、二人の顔の画像からモーフィング画像を作成することで、二人の間に将来生まれる子供の顔を想像して楽しむことができる。更に、キャラクターや動物の画像の顔部分と人物の画像の顔部分からモーフィング画像を作成することで、ユニークで娯楽性に富んだ演出を行うことができる。例えば、特許文献１の遊技機の制御装置、遊技機、制御プログラム及び情報記憶媒体では、遊技者が感情を流出した表情をタイミングよく撮影し、使用するタイミングにより撮影された画像を選択して取り込む。そして、取り込んだ画像にモーフィングを行って遊技状況に即した遊技演出画像を表示することで、より効果的な遊技演出ができるようにしている。
【先行技術文献】
【特許文献】
【０００３】
【特許文献１】特開２００４−９７６２８号公報
【発明の概要】
【発明が解決しようとする課題】
【０００４】
しかし、特許文献１の遊技機の制御装置、遊技機、制御プログラム及び情報記憶媒体は、感情を流出した表情の遊技者のモーフィング画像を作成することができるが、モーフィング画像を作成するときに、モーフィングの素となる画像（以下、「モーフィング素材画像」という）を遊技者が登録できない。
【０００５】
本発明はこのような状況に鑑みてなされたものであり、上記課題を解決できる電子機器及びモーフィングプログラムを提供することを目的とする。
【課題を解決するための手段】
【０００６】
本発明の電子機器は、複数のモーフィング素材画像を登録するモーフィング素材画像登録部と、人物画像の顔部分から感情を分析する感情分析部と、前記感情分析部が分析した感情に適合した前記モーフィング素材画像を選択し、選択した前記モーフィング素材画像の顔部分を前記人物画像の顔部分でモーフィングを行ったモーフィング画像を作成するモーフィング画像作成部とを備えることを特徴としている。
また、本発明の電子機器は、カメラ部を備え、前記人物画像は、前記カメラ部で撮影した人物の画像であることを特徴としている。
また、本発明の電子機器は、前記カメラ部で人物を撮影するときに人物の声を入力する音声入力部を備え、前記感情分析部は、前記人物画像の顔部分と前記声から感情を分析することを特徴としている。
また、本発明の電子機器は、ネットワーク通信部を備え、前記人物画像は、前記ネットワーク通信部により受信することを特徴としている。
また、本発明の電子機器の前記ネットワーク通信部は、前記人物画像を受信するときに前記人物の声を受信し、前記感情分析部は、人物画像の顔部分と前記声から感情を分析することを特徴としている。
また、本発明の電子機器は、スキャナー部と画像形成部を備え、前記人物画像は、前記スキャナー部で読み取った人物像を前記画像形成部が形成した画像であることを特徴としている。
また、本発明の電子機器の前記モーフィング画像作成部は、前記モーフィング素材画像の名前と前記人物画像の名前とを組み合わせて作成したタイトルを前記モーフィング画像に合成することを特徴としている。
また、本発明の電子機器は、印刷部を備え、前記印刷部は、前記モーフィング画像を用紙に印刷することを特徴としている。
本発明のモーフィングプログラムは、複数のモーフィング素材画像を登録するモーフィング素材画像登録部、人物画像の顔部分から感情を分析する感情分析部、及び前記感情分析部が分析した感情に適合した前記モーフィング素材画像を選択し、選択した前記モーフィング素材画像の顔部分を前記人物画像の顔部分でモーフィングを行ったモーフィング画像を作成するモーフィング画像作成部として電子機器のコンピューターを機能させることを特徴としている。
【発明の効果】
【０００７】
本発明の電子機器及びモーフィングプログラムは、モーフィング素材画像の登録と、人物の感情に適合したモーフィング素材画像と人物の画像とのモーフィング画像の作成を容易に行うことができる。
【図面の簡単な説明】
【０００８】
【図１】本発明の実施形態に係る電子機器の機能構成を示す図である。
【図２】本発明の実施形態に係るモーフィング画像作成手順を説明する図である。
【図３】本発明の実施形態に係る感情分析処理とモーフィング画像作成処理の流れを示すフローチャートである。
【発明を実施するための形態】
【０００９】
以下、本発明を実施するための形態（以下、「実施形態」という）を、図面を参照して説明する。
【００１０】
実施形態における電子機器１００の機能構成について、図１を用いて説明する。図１に示す電子機器１００は、制御部１０１、メモリー部１０２、データ記憶部１０３、操作パネル１０４、操作パネル処理部１０５、スキャナー部１０６、画像形成部１０７、音声入力部１０８、カメラ部１０９、ネットワーク通信部１１０、及び印刷部１１１を備え、これら各部はバスなどにより接続される構成となっている。制御部１０１には、モーフィング素材画像登録処理部１０１ａ、感情分析処理部１０１ｂ、及びモーフィング画像作成処理部１０１ｃが設けられている。メモリー部１０２には、音声データ一時記憶エリア１０２ａと人物画像データ一時記憶エリア１０２ｂが設けられている。データ記憶部１０３には、画像データ記憶エリア１０３ａとモーフィング素材画像データ記憶エリア１０３ｂが設けられている。
【００１１】
制御部１０１は、ＲＡＭやＲＯＭ等の主記憶デバイス、及びＣＰＵ(Central Processing Unit)等のプロセッサーを備えている。また、制御部１０１は、各種Ｉ／Ｏや、ＵＳＢ（ユニバーサル・シリアル・バス）等のインターフェイス、バスコントローラー等を含む総合的な電子機器１００の制御を行う。
モーフィング素材画像登録処理部１０１ａは、インターネットからダウンロードまたはカメラ部１０９で撮影されたモーフィング素材画像をモーフィング素材画像データ記憶エリア１０３ｂに登録（記憶）する。なお、ユーザーがモーフィング素材画像を登録するときには、モーフィング素材画像から感じ取れる１つ以上の感情とその感情が感じ取れる程度を操作パネル１０４から入力する。なお、入力された感情はコード（以下、「感情コード」という）に変換され、また入力された感情の程度はポイント（以下、「感情ポイント」という）に変換されてモーフィング素材画像に設定される。ここで言う感情とは、「楽しい」、「怒り」、または「心配」などであり、感情コードは、感情毎に付加された番号である。例えば、「楽しい」の感情コードは１１、「怒り」の感情コードは２１、また「心配」の感情コードは３１となる。モーフィング素材画像から「楽しい」が５０％程度感じ取れるときには、「楽しい」の感情コード１１と感情ポイント５０がモーフィング素材画像に設定される。
感情分析処理部１０１ｂは、音声入力部１０８が入力した音声と、カメラ部１０９が撮影した人物画像の顔部分の表情から感情の分析を行い、分析した感情の感情コードと感情ポイントをモーフィング画像作成処理部１０１ｃに出力する。なお、感情分析処理部１０１ｂが実行する感情分析処理の詳細については、後述する。
モーフィング画像作成処理部１０１ｃは、感情分析処理部１０１ｂから感情コードと感情ポイントを入力すると、感情コードと感情ポイントに最も適合したモーフィング素材画像を選択し、選択したモーフィング素材画像の顔部分をカメラ部１０９が撮影した人物画像の顔部分でモーフィングを行ったモーフィング画像を作成する。なお、モーフィング画像作成処理部１０１ｃが実行するモーフィング画像作成処理の詳細については、後述する。
【００１２】
メモリー部１０２は、フラッシュメモリー等の補助記憶装置で、制御部１０１が実行する処理のプログラムやデータを記憶する。
音声データ一時記憶エリア１０２ａは、音声入力部１０８が入力した音声を一時的に記憶する。
人物画像データ一時記憶エリア１０２ｂは、カメラ部１０９が撮影した人物画像を一時的に記憶する。なお、カメラ部１０９で撮影された人物画像には自動的に又はユーザーによる記入により名前が付けられて記憶される。
【００１３】
データ記憶部１０３は、データやプログラムを記憶するハードディスクドライブである。
画像データ記憶エリア１０３ａは、スキャナー部１０６がスキャンして画像形成部１０７により画像に形成された図面や原稿の画像、カメラ部１０９が撮影した画像、又はネットワーク通信部１１０が受信した画像などを記憶する。なお、記憶されている画像には名前が付けられており、この名前で識別される。
モーフィング素材画像データ記憶エリア１０３ｂは、インターネットからダウンロードまたはカメラ部１０９で撮影され、複数のモーフィング素材画像を感情別のモーフィング素材グループに分けて記憶する。上述したように、各々のモーフィング素材画像には、感情コード、感情ポイント、及びモーフィングライン情報が設定されている。例えば、「楽しい」と同種類の感情には１０番台の感情コード、「怒り」と同種類の感情には２０番台の感情コード、または「心配」と同種類の感情には３０番台の感情コードを割り付けることで、各々の感情コードがどのグループに属するかを判断できる。これにより、「楽しい」の感情コードは１１、「楽しい」と同じ種類の感情である「喜び」の感情コードが１２であるときには、感情コードが同じ１０番台であるので、同じ感情別のモーフィング素材グループに記憶される。なお、記憶されている各々のモーフィング素材画像には名前が付けられており、この名前で識別される。また、モーフィングライン情報は、モーフィング素材画像の顔に相当する顔部分から顔、目、鼻、口、及び耳などの各器官に相当する部分のライン（以下、「モーフィング素材画像のモーフィングライン」という）を抽出する。
【００１４】
操作パネル１０４は、操作画面やメッセージの表示、画像の表示、操作の受け付けなどを行う液晶パネルである。
【００１５】
操作パネル処理部１０５は、電子機器１００が備えている機能に対する操作項目やメッセージを操作パネル１０４に表示する処理、画像を操作パネル１０４に表示する処理、又は操作パネル１０４から操作を入力する処理などを行う。
【００１６】
スキャナー部１０６は、電子機器１００の原稿台にセットされた図面や原稿のスキャンを行うことで図面や原稿をデジタル化するもので、操作パネル１０４からスキャン要求が行われると、スキャナー部１０６は図面や原稿を読み取り、読み取った図面データや原稿データを画像形成部１０７に出力する。
【００１７】
画像形成部１０７は、スキャナー部１０６から図面データや原稿データを入力すると、電子機器１００で処理可能な画像に形成して画像データ記憶エリア１０３ａに記憶する。
【００１８】
音声入力部１０８は、音声を入力する機能を備え、入力した音声を電子機器１００で処理可能な音声に処理し、音声データ一時記憶エリア１０２ａに記憶する。
【００１９】
カメラ部１０９は、撮影機能を備え、撮影した画像を電子機器１００で処理可能な画像に形成し、指定された人物画像データ一時記憶エリア１０２ｂ、画像データ記憶エリア１０３ａ、又はモーフィング素材画像データ記憶エリア１０３ｂのいずれかに記憶する。
【００２０】
ネットワーク通信部１１０は、ネットワーク２００に接続するための着脱可能なＬＡＮインターフェイスを備えている。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２１】
印刷部１１１は、印刷要求のあった画像を入力し、コピー用紙やシール用紙などに印刷する。
【００２２】
次に、実施形態におけるモーフィング画像作成手順について、図２と図３を用いて説明する。
【００２３】
まず、操作パネル１０４に設けられている「撮影開始ボタン」が押下され、（１）に示すように、人物が声と表情で気持ちを表現すると、人物の声を音声入力部１０８が入力し、人物をカメラ部１０９が撮影する。電子機器１００の音声入力部１０８とカメラ部１０９は、「撮影開始ボタン」を押下されてから予め決められた時間だけ声を入力し、また人物を撮影する。例えば、予め決められた時間が３０秒であれば、「撮影開始ボタン」が押下されてから３０秒の間に声が入力され、人物が撮影される。
【００２４】
次いで、撮影された人物画像のモーフィング画像の作成を要求する操作（以下、「モーフィング要求操作」という）が操作パネル１０４から行われると、（２）に示すように、感情分析処理部１０１ｂは、音声と人物画像から人物の感情を分析し、分析した感情の感情コードと感情ポイントをモーフィング画像作成処理部１０１ｃに出力する。例えば、感情分析処理部１０１ｂが音声と人物画像から感情を分析した結果、「達成」５０％、「喜び」３０％、及び「満足」２０％の感情を得られたときには、「達成」の感情コード１６と感情ポイント５０、「喜び」の感情コード１２と感情ポイント３０、及び「満足」の感情コード１４と感情ポイント２０をモーフィング画像作成処理部１０１ｃに出力する。
【００２５】
次いで、モーフィング画像作成処理部１０１ｃは、感情分析処理部１０１ｂから感情コードと感情ポイントを入力すると、（３）に示すように入力した感情コードが属する感情別のモーフィング素材画像グループから入力した感情コードと感情ポイントに最も適合した感情コードと感情ポイントが設定されているモーフィング素材画像を取り出す。図２の例では、「楽しい」、「喜び」、「愉快」、「満足」、「愛好」、「達成」が属するモーフィング素材画像グループ、「怒り」、「不満」、「絶望」、「憎しみ」、「嫌悪」、「不快」が属するモーフィング素材画像グループ、「心配」、「恐れ」、「臆病」、「悲しみ」、「震え」、「怯え」が属するモーフィング素材グループ等がある。例えば、モーフィング画像作成処理部１０１ｃが「達成」、「喜び」、及び「満足」の感情コードと感情ポイントを入力したときには、「達成」、「喜び」、及び「満足」の感情コードが属する感情別のモーフィング素材画像グループから「達成」、「喜び」、及び「満足」の各々の感情ポイントに最も適合する「犬のエル」のモーフィング素材画像を取り出す。詳細には、モーフィング画像作成処理部１０１ｃは、まず、モーフィング素材画像グループごとに、属する感情の感情ポイントを合計して合計ポイントを求め、合計ポイントが最も高いモーフィング素材画像グループを選択する。次いで、モーフィング画像作成処理部１０１ｃは、感情コード毎に、（２）で出力された感情ポイントと選択されたモーフィング素材画像グループに属するモーフィング素材画像の感情ポイントとの差を求め、差の合計が最小となるモーフィング素材画像を取り出す。差を求める感情ポイントは、選択されたモーフィング素材画像グループに属する感情コードのみを対象としてもよいし、全ての感情コードを対象としてもよい。また、差の合計に代えて、標準偏差を算出して、標準偏差が最小となるモーフィング素材画像を取り出してもよい。
【００２６】
次いで、（４）に示すように、モーフィング画像作成処理部１０１ｃは、撮影された人物画像の顔部分からモーフィングに必要な顔と、目、鼻、口、及び耳などの各器官のライン（以下、「モーフィングライン」という）を抽出する。
【００２７】
次いで、（５）に示すように、モーフィング画像作成処理部１０１ｃは、（４）で抽出したモーフィングラインと（３）で取り出したモーフィング素材画像のモーフィング情報を用いて、（３）で取り出したモーフィング素材画像の顔部分を人物画像の顔部分でモーフィングを行ったモーフィング画像を作成する。具体的には、モーフィング画像作成処理部１０１ｃは、顔の器官ごとに（４）で抽出したモーフィングラインをモーフィング素材画像のモーフィングラインに合わせるように顔の器官を変形させてモーフィング画像を作成する。
【００２８】
次いで、（６）に示すように、モーフィング画像作成処理部１０１ｃは、モーフィング素材画像の名前と人物画像の名前とを組み合わせて作成したタイトルとモーフィング画像とを合成したモーフィング画像を印刷部１１１により用紙に印刷する。例えば、モーフィング素材画像の名前が「犬のエル」、人物画像の名前が「Ａ子さん」であるときには、それぞれの名前である「犬のエル」と「Ａ子さん」とを組み合わせたタイトル「Ａ子さんと犬のエルのモーフィング像」を合成したモーフィング画像が用紙に印刷される。
【００２９】
次に、電子機器１００の感情分析処理部１０１ｂが実行する感情分析処理とモーフィング画像作成処理部１０１ｃが実行するモーフィング画像作成処理の詳細について説明する。操作パネル１０４からモーフィング要求操作が行われると、操作パネル処理部１０５がモーフィング要求通知を制御部１０１に出力する。制御部１０１は、モーフィング要求通知を入力すると、感情分析処理部１０１ｂを起動する。感情分析処理部１０１ｂが起動されると、感情分析処理部１０１ｂは、感情分析処理を開始する。
以下、図３（１）に示す感情分析処理のフローチャートを用いて、感情分析処理をステップ順に説明する。
【００３０】
（ステップＳ１０１）
まず、感情分析処理部１０１ｂは、音声データ一時記憶エリア１０２ａから撮影した人物の音声を取り出す。
【００３１】
（ステップＳ１０２）
次いで、感情分析処理部１０１ｂは、人物画像データ一時記憶エリア１０２ｂから撮影した人物画像を取り出す。
【００３２】
（ステップＳ１０３）
次いで、感情分析処理部１０１ｂは、ステップＳ１０１で取り出した音声とステップＳ１０２で取り出した人物画像の顔部分の表情から人物の感情を分析する。
【００３３】
（ステップＳ１０４）
次いで、感情分析処理部１０１ｂは、モーフィング画像作成処理部１０１ｃを起動する。
【００３４】
（ステップＳ１０５）
次いで、感情分析処理部１０１ｂは、ステップＳ１０３で分析した人物の感情の感情コードと感情ポイントを格納した感情分析結果をモーフィング画像作成処理部１０１ｃに出力すると、感情分析処理を終了する。
【００３５】
次に、図３（２）に示すモーフィング画像作成処理のフローチャートを用いて、モーフィング画像作成処理をステップ順に説明する。
【００３６】
（ステップＳ２０１）
まず、モーフィング画像作成処理部１０１ｃは、感情分析結果を入力すると、モーフィング素材画像データ記憶エリア１０３ｂから感情分析結果に格納されている感情コードが属する感情別のモーフィング素材画像グループを取り出す。そして、モーフィング画像作成処理部１０１ｃは、モーフィング素材画像グループから感情分析結果の感情コードと感情ポイントに最も適合した感情コードと感情ポイントが設定されているモーフィング素材画像を取り出す。
【００３７】
（ステップＳ２０２）
次いで、モーフィング画像作成処理部１０１ｃは、人物画像データ一時記憶エリア１０２ａに記憶されている人物画像を取り出し、人物画像の顔部分から顔と各器官のモーフィングラインを抽出する。
【００３８】
（ステップＳ２０３）
次いで、モーフィング画像作成処理部１０１ｃは、ステップＳ２０２で取り出したモーフィングラインを用いて、ステップＳ２０１で取り出したモーフィング素材画像の顔部分をステップＳ２０２で取り出した人物画像の顔部分でモーフィングを行ったモーフィング画像を作成する。
【００３９】
（ステップＳ２０４）
次いで、モーフィング画像作成処理部１０１ｃは、モーフィング素材画像の名前と人物画像の名前とを組み合わせたタイトルを作成する。
【００４０】
（ステップＳ２０５）
次いで、モーフィング画像作成処理部１０１ｃは、ステップＳ２０３で作成したモーフィング画像に、ステップＳ２０４で作成したタイトルを合成したモーフィング画像を印刷部１１１に出力すると、モーフィング画像作成処理を終了する。なお、印刷部１１１は、タイトルが合成されたモーフィング画像を入力すると、モーフィング画像を用紙に印刷する。
【００４１】
以上により、ユーザーが好みのモーフィング素材画像を登録することができ、また声と表情で気持ちを表現した人物の感情に最も適合したモーフィング素材画像の顔部分を人物画像の顔部分でモーフィングを行うモーフィング画像を容易に作成することができる。例えば、職場やサークルのメンバーが声と表情で気持ちを表現したモーフィング画像を作成することで、他のメンバーに直接伝えることができない気持ちを伝えることができる。このようなモーフィング画像を作成することにより、職場やサークルの人達がお互いの気持ちを理解するように努めることで、仕事やサークルの活動を円滑に行うことができる。
【００４２】
なお、実施形態においては、人物の声と表情で感情を分析するが、これに限定されない。例えば、電子機器１００が音声を入力できる音声入力部１０８を備えていないときには、人物の表情だけで感情を分析することも可能である。
【００４３】
また、実施形態においては、音声入力部１０８で入力した人物の声を音声データ一時記憶エリア１０２ａに記憶し、またカメラ部１０９で撮影した人物の人物画像を人物画像データ記憶エリア１０２ｂに記憶するが、これに限定されない。例えば、電子機器１００は、他の電子機器１００により入力された音声と撮影された人物画像を、ネットワーク２００を経由して受信することができる。ネットワーク２００を経由して受信された音声及び人物画像については、音声データ一時記憶エリア１０２ａと人物画像データ一時記憶エリア１０２ｂに記憶させることで、音声を入力する機能やカメラを備えていない電子機器１００であっても、モーフィング素材画像と人物の画像とのモーフィング画像を作成できる。
【００４４】
また、実施形態においては、電子機器１００がモーフィング画像を印刷するが、これに限定されない。例えば、画像を印刷する機能を備えていない電子機器１００においては、印刷機能を備えた電子機器１００にモーフィング画像を送信して印刷することも可能である。また、印刷せずに電子機器１００の操作パネル１０４にモーフィング画像を表示することも可能である。このときには、印刷の場合と同様に、モーフィング素材画像の名前と人物画像の名前とを組み合わせて作成したタイトルも操作パネル１０４に表示できる。
【００４５】
また、実施形態においては、撮影された人物画像を人物画像データ一時記憶エリア１０２ａに記憶するが、ポスターや写真などのようにスキャナー部１０６で読み取り可能であれば、スキャナー部１０６で読み取ったポスターや写真などの人物像を画像形成部１０７が画像に形成した人物画像を人物画像データ一時記憶エリア１０２ａに記憶することができる。これにより、スキャナー部１０６で読み取った人物画像の顔部分の表情からモーフィング画像を作成することができる。この場合には、人物の声を入力することはできないので、人物の表情だけで感情の分析を行う。
【００４６】
また、実施形態の電子機器１００は、ＰＣ（パソコン）、スマートフォン、携帯電話、タブレット端末、又は複合機（Ｍｕｌｔｉｆｕｎｃｔｉｏｎ  Ｐｅｒｉｐｈｅｒａｌ）などの画像形成装置を含むコンピューターで動作する機器である。
【００４７】
このような本発明によれば、モーフィング素材画像の登録と、人物の感情に適合したモーフィング素材画像と人物の画像とのモーフィング画像の作成を容易に行う電子機器及びモーフィングプログラムを提供できる。
【００４８】
以上、具体的な実施の形態により本発明を説明したが、上記実施の形態は本発明の例示であり、この実施の形態に限定されないことは言うまでもない。
【産業上の利用可能性】
【００４９】
本発明は、モーフィング機能を有する電子機器一般に適用できる。
【符号の説明】
【００５０】
１００・・・・・電子機器
１０１・・・・・制御部
１０１ａ・・・・モーフィング素材画像登録処理部
１０１ｂ・・・・感情分析処理部
１０１ｃ・・・・モーフィング画像作成処理部
１０２・・・・・メモリー部
１０２ａ・・・・音声データ一時記憶エリア
１０２ｂ・・・・人物画像データ一時記憶エリア
１０３・・・・・データ記憶部
１０３ａ・・・・画像データ記憶エリア
１０３ｂ・・・・モーフィング素材画像データ記憶エリア
１０４・・・・・操作パネル
１０５・・・・・操作パネル処理部
１０６・・・・・スキャナー部
１０７・・・・・画像形成部
１０８・・・・・音声入力部
１０９・・・・・カメラ部
１１０・・・・・ネットワーク通信部
１１１・・・・・印刷部
２００・・・・・ネットワーク
【図１】
2016192193.tif 000003
【図２】
2016192193.tif 000004
【図３】
2016192193.tif 000005